(57)【要約】【課題】上面に表示部１３が設けられた上部筐体１１と、上面に操作部１４が設けられた下部筐体１２とが、スライド可能に重ねられて構成される電子機器１０において、上部筐体１１と下部筐体１２とが縦向きに重なり、上部筐体１１が操作部１４を覆う状態と、上部筐体１１が横向きで下部筐体１２が縦向きに重なり、操作部１４が露出した状態と、上部筐体１１と下部筐体１２とが縦向きに重なり、操作部１４が露出した状態との状態間で直接変形可能にすることである。【解決手段】下部筐体１２の上面に、第１軸１５及び第２軸１６が設けられ、上部筐体１１の下面に、第１軸１５をスライド可能に収容する第１溝１７及び第２軸１６をスライド可能に収容する第２溝１８が設けられ、第１及び第２軸がそれぞれ第１及び第２溝に沿ってスライドさせられることにより、変形可能とする。【選択図】図２
2011035691.tif 000002
【特許請求の範囲】
【請求項１】
上面に表示部が設けられた上部筐体と、上面に操作部が設けられた下部筐体とが、スライド可能に重ねられて構成される電子機器において、
前記上部筐体又は前記下部筐体の一方の筐体の重ね合わされる面に、第１軸及び第２軸が設けられ、
前記上部筐体又は前記下部筐体の他方の筐体の重ね合わされる面に、前記第１軸をスライド可能に収容する第１溝及び前記第２軸をスライド可能に収容する第２溝が設けられ、
前記第１及び第２軸がそれぞれ前記第１及び第２溝に沿ってスライドさせられることにより、
前記上部筐体と前記下部筐体とが縦向きに重なり、前記上部筐体が前記操作部を覆う第１状態と、
前記上部筐体が横向きで前記下部筐体が縦向きに重なり、前記操作部が露出した第２状態と、
前記上部筐体と前記下部筐体とが縦向きに重なり、前記操作部が露出した第３状態とを、それぞれの状態間で変形可能にしたことを特徴とする電子機器。
【請求項２】
前記第１溝と前記第２溝は交差せずに独立していることを特徴とする請求項１記載の電子機器。
【請求項３】
前記第１溝は非環状であり、前記第２溝は環状であることを特徴とする請求項１又は２記載の電子機器。
【請求項４】
前記第１溝は直線部分である第１直線部を、前記第２溝は直線部分である第２直線部を含み、前記第１直線部と前記第２直線部とが平行であることを特徴とする請求項１〜３の何れかに記載の電子機器。
【請求項５】
前記第１状態において、前記第１軸は前記第１直線部の一方の端部に位置し、前記第２軸は前記第２直線部の一方の端部に位置することを特徴とする請求項４記載の電子機器。
【請求項６】
前記第２状態において、前記第１軸は前記第１直線部に位置し、前記第２軸は前記第２直線部以外に位置することを特徴とする請求項４又は５記載の電子機器。
【請求項７】
前記第３状態において、前記第１軸は前記第１直線部の他方の端部に位置し、前記第２軸は前記第２直線部の他方の端部に位置することを特徴とする請求項４〜６の何れかに記載の電子機器。
【発明の詳細な説明】
【技術分野】
【０００１】
本発明は、上面に表示部が設けられた上部筐体と、上面に操作部が設けられた下部筐体とが、スライド可能に重ねられて構成される電子機器に関する。
【背景技術】
【０００２】
近年、携帯電話機をはじめとする電子機器でテレビ放送の視聴やウェブサイトの閲覧ができるようになったため、縦長の表示部を９０°スライドさせて横長状態で使用する端末が登場している（特許文献１、２参照）。
【０００３】
図６〜図８は、従来のスライド式の電子機器１００の変形状態を示す上面図である。この電子機器は、上面に表示部１０３が設けられた上部筐体１０１と、上面に操作部１０４が設けられた下部筐体１０２とが、スライド可能に重ねられて構成される。
【０００４】
図６は、上部筐体１０１と下部筐体１０２とが縦向きに重なり、上部筐体１０１が操作部１０４を覆う状態（状態Ａ）を示し、図７は、図６の状態から上部筐体１０１を９０°回転させることにより、上部筐体１０１が横向きで下部筐体１０２が縦向きに重なり、操作部が露出した状態（状態Ｂ）を示し、図８は、図７の状態から上部筐体１０１をさらに９０°回転させることにより、上部筐体１０１と下部筐体１０２とが縦向きに重なり、操作部１０４が露出した状態（状態Ｃ）を示している。つまり、この電子機器１００においては、状態Ａと状態Ｂ間での変形が可能であり、また状態Ｂと状態Ｃ間での変形も可能となっている。
【先行技術文献】
【特許文献】
【０００５】
【特許文献１】特開２００７−２２８０４２号公報
【特許文献２】特開２００９−３３７５０号公報
【発明の概要】
【発明が解決しようとする課題】
【０００６】
しかしながら、状態Ａと状態Ｃ間での直接的な変形はできず、状態Ｂを介する必要があった。通常、使用していない場合は状態Ａにして持ち歩き、その状態からテレビを視聴する場合は状態Ｂへ、電話や電子メールをする場合は状態Ｃへ変形させて使用するが、上述したように状態Ａから状態Ｃへは直接変形できないので、変形操作に手間が掛かり、使い勝手がよいとは言えなかった。
【０００７】
本発明は、上面に表示部が設けられた上部筐体と、上面に操作部が設けられた下部筐体とが、スライド可能に重ねられて構成される電子機器において、上部筐体と下部筐体とが縦向きに重なり、上部筐体が操作部を覆う状態と、上部筐体が横向きで下部筐体が縦向きに重なり、操作部が露出した状態と、上部筐体と下部筐体とが縦向きに重なり、操作部が露出した状態との状態間で直接変形可能にすることを目的とする。
【課題を解決するための手段】
【０００８】
上記目的を達成するために本発明は、上面に表示部が設けられた上部筐体と、上面に操作部が設けられた下部筐体とが、スライド可能に重ねられて構成される電子機器において、前記上部筐体又は前記下部筐体の一方の筐体の重ね合わされる面に、第１軸及び第２軸が設けられ、前記上部筐体又は前記下部筐体の他方の筐体の重ね合わされる面に、前記第１軸をスライド可能に収容する第１溝及び前記第２軸をスライド可能に収容する第２溝が設けられ、前記第１及び第２軸がそれぞれ前記第１及び第２溝に沿ってスライドさせられることにより、前記上部筐体と前記下部筐体とが縦向きに重なり、前記上部筐体が前記操作部を覆う第１状態と、前記上部筐体が横向きで前記下部筐体が縦向きに重なり、前記操作部が露出した第２状態と、前記上部筐体と前記下部筐体とが縦向きに重なり、前記操作部が露出した第３状態とを、それぞれの状態間で変形可能にしたことを特徴とする。
【０００９】
この構成によると、従来できなかった第１状態から第３状態への直接変形が可能となる。
【００１０】
上記の電子機器において、前記第１溝と前記第２溝は交差せずに独立している。
【００１１】
また上記の電子機器において、前記第１溝は非環状であり、前記第２溝は環状であることが望ましい。
【００１２】
また上記の電子機器において、前記第１溝は直線部分である第１直線部を、前記第２溝は直線部分である第２直線部を含み、前記第１直線部と前記第２直線部とが平行であることが望ましい。
【００１３】
また上記の電子機器において、前記第１状態において、前記第１軸は前記第１直線部の一方の端部に位置し、前記第２軸は前記第２直線部の一方の端部に位置することが望ましい。
【００１４】
また上記の電子機器において、前記第２状態において、前記第１軸は前記第１直線部に位置し、前記第２軸は前記第２直線部以外に位置することが望ましい。
【００１５】
また上記の電子機器において、前記第３状態において、前記第１軸は前記第１直線部の他方の端部に位置し、前記第２軸は前記第２直線部の他方の端部に位置することが望ましい。
【発明の効果】
【００１６】
本発明によると、第１、第２、第３状態のそれぞれの状態間で変形可能にしている。したがって、例えば、使用していない場合は第１状態にして持ち歩き、その状態からテレビを視聴する場合は第２状態へ、電話や電子メールをする場合は第３状態へそれぞれ直接変形させて使用することができるので使い勝手がよい。
【図面の簡単な説明】
【００１７】
【図１】本発明の電子機器の外観斜視図である。
【図２】図１の分解斜視図である。
【図３】本発明の電子機器の変形状態を示す上面からの透視図である。
【図４】本発明の電子機器の変形状態を示す上面からの透視図である。
【図５】本発明の電子機器の変形状態を示す上面からの透視図である。
【図６】従来のスライド式の電子機器の変形状態を示す上面図である。
【図７】従来のスライド式の電子機器の変形状態を示す上面図である。
【図８】従来のスライド式の電子機器の変形状態を示す上面図である。
【発明を実施するための形態】
【００１８】
図１は、本発明の電子機器の外観斜視図であり、図２は、図１の分解斜視図である。この電子機器１０は、上面に表示部１３が設けられた上部筐体１１と、上面に操作部１４が設けられた下部筐体１２とが、スライド可能に重ねられて構成される。
【００１９】
図２に示すように、下部筐体１２の重ね合わされる面（上面）に、第１軸１５及び第２軸１６が設けられている。そして、上部筐体１１の重ね合わされる面（下面）に、第１軸１５をスライド可能に収容する第１溝１７及び第２軸１６をスライド可能に収容する第２溝１８が設けられている。なお、スペースが許せば、上部筐体１１の下面に第１及び第２軸１５、１６を、下部筐体１２の上面に第１及び第２溝１７、１８を設けるようにしてもよい。
【００２０】
第１及び第２軸１５、１６は、下部筐体１２から上方に突出した円柱状の部材であり、下部筐体１２が樹脂であれば、下部筐体１２と一体成形することができる。一方、第１及び第２溝１７、１８は、第１及び第２軸１５、１６との間に若干遊びを持たせて収容することで第１及び第２軸１５、１６を第１及び第２溝１７、１８に沿ってスライド可能にする凹状部分である。
【００２１】
次に、第１及び第２軸１５、１６と第１及び第２溝１７、１８の配置を説明し、スライド動作についても説明する。
【００２２】
図３〜図５は、電子機器１０の変形状態を示す上面からの透視図である。図３〜５では、上部筐体を透視して描いてあり、図を見やすくするため筐体と軸と溝と操作部以外は省略してある。図３〜図５の破線は説明の便宜上加えた補助線である。
【００２３】
図３は、上部筐体１１と下部筐体１２とが縦向きに重なり、上部筐体１１が操作部１４を覆う状態（第１状態）を示し、図４は、上部筐体１１が横向きで下部筐体１２が縦向きに重なり、操作部１４が露出した状態（第２状態）を示し、図５は、上部筐体１１と下部筐体１２とが縦向きに重なり、操作部１４が露出した状態（第３状態）を示している。
【００２４】
図３に示すように、第１及び第２軸１５、１６を上方から見ると、第１軸１５が右側に、第２軸１６が左側に、十分な間隔をとって位置し、第２軸１６は第１軸１５よりも紙面の上側に位置している。なお、第１軸１５と第２軸１６は左右反対に形成してもよい。その場合、第１溝１７と第２溝１８も左右反対に形成する。
【００２５】
また、第１溝１７と第２溝１８は、交差せずに独立している。第１溝１７は非環状であり、第２溝１８は環状であり、それぞれの溝自身でも交差していない。
【００２６】
そして、第１溝１７は、上部筐体１１の長手方向（図３では紙面の上下方向）に延びた直線部分である第１直線部１７ａと、この第１直線部１７ａの一方の端部（図３では上端）に連通した第１曲線部１７ｂから形成されている。
【００２７】
一方、第２溝１８は、上部筐体１１の長手方向（図３では紙面の上下方向）に延びた直線部分である第２直線部１８ａと、この第２直線部１８ａの一方の端部（図３では上端）に連通した第２曲線部１８ｂと、第２曲線部１８ｂの第２直線部１８ａが連通する端部とは反対側の端部に連通した第３直線部１８ｃと、第３直線部１８ｃの第２曲線部１８ｂが連通する端部とは反対側の端部に連通した第４直線部１８ｄと、第４直線部１８ｄの第３直線部１８ｃが連通する端部とは反対側の端部に連通した第３曲線部１８ｅと、一方の端部が第３曲線部１８ｅの第４直線部１８ｄが連通する端部とは反対側の端部に連通し、他方の端部が第２直線部１８ａの他方の端部（図３では下端）に連通した第４曲線部１８ｆとから形成されている。ただし、第３直線部１８ｃおよび第４直線部１８ｄは必ずしも直線である必要はない。
【００２８】
第１直線部１７ａと第２直線部１８ａとは平行である。なお、第１〜第４曲線部は、円弧状や楕円弧状とすることができる。
【００２９】
このような構成の電子機器１０の第１状態から第２状態へのスライド動作を図３と図４を用いて説明する。まず、第１状態においては、図３に示すように、第１軸１５が第１直線部１７ａの一方の端部（図３では上端）に位置し、第２軸１６が第２直線部１８ａの一方の端部（図３では上端）に位置する。
【００３０】
この第１状態から上部筐体１１を時計回りに９０°回転させる。このとき、第１軸部１５は、第１曲線部１７ｂの他方の端部（図３では上端）まで移動した後、第１直線部１７ａの一方の端部（図３では上端）まで戻り、さらに第１直線部１７ａの他方の端部（図３では下端）へ向けて移動し、図４に示すように、第１直線部１７ａの途中まで移動する。一方、第２軸部１６は、第２曲線部１８ｂ、続けて第３直線部１８ｃを通り、図４に示すように、第３直線部１８ｃと第４直線部１８ｄとの交点まで移動する。
【００３１】
このスライド動作により、図４に示すように、上部筐体１１が横向きで下部筐体１２が縦向きに重なり、操作部１４が露出した状態（第２状態）となる。次に、第２状態から第３状態へのスライド動作を図４と図５を用いて説明する。
【００３２】
図４の第２状態から上部筐体１１を反時計回りに９０°回転させる。このとき、第１軸部１５は、第１直線部１７ａの他方の端部（図５では下端）まで移動する。一方、第２軸部１６は、第４直線部１８ｄ、第３曲線部１８ｅ、第４曲線部１８ｆの順に通り、第２直線部１８ａの他方の端部（第４曲線部１８ｆと第２直線部１８ａとの交点）まで移動する。
【００３３】
このスライド動作により、図５に示すように、上部筐体１１と下部筐体１２とが縦向きに重なり、操作部１４が露出した状態（第３状態）となる。次に、第１状態から第３状態へのスライド動作を図３と図５を用いて説明する。
【００３４】
図３の第１状態から上部筐体１１を上側に直線的にスライドさせる。このとき、第１軸部１５は、第１直線部１７ａの一方の端部（図３では上端）から第１直線部１７ａの他方の端部（図５では下端）まで移動する。一方、第２軸部１６は、第２直線部１８ａの一方の端部（図３では上端）から第２直線部１８ａの他方の端部（図５では下端）まで移動する。
【００３５】
なお、上述した３つのスライド動作それぞれの逆の動作も可能である。つまり、第２状態から第１状態へのスライド動作、第３状態から第２状態へのスライド動作、第３状態から第１状態へのスライド動作である。
【００３６】
このような構成とすることにより、第１、第２、第３状態のそれぞれの状態間で変形可能にしている。したがって、例えば、使用していない場合は第１状態（図３の状態）にして持ち歩き、その状態からテレビを視聴する場合は第２状態（図４の状態）へ、電話や電子メールをする場合は第３状態（図５の状態）へそれぞれ直接変形させて使用することができるので使い勝手がよい。
【産業上の利用可能性】
【００３７】
本発明は、携帯電話機をはじめ、ＰＤＡなどの携帯端末やノートパソコン、デスクトップパソコンなど様々な電子機器に利用することができる。
【符号の説明】
【００３８】
１０    電子機器
１１    上部筐体
１２    下部筐体
１３    表示部
１４    操作部
１５    第１軸
１６    第２軸
１７    第１溝
１８    第２溝
１７ａ    第１直線部
１８ａ    第２直線部
【図１】
2011035691.tif 000003
【図２】
2011035691.tif 000004
【図３】
2011035691.tif 000005
【図４】
2011035691.tif 000006
【図５】
2011035691.tif 000007
【図６】
2011035691.tif 000008
【図７】
2011035691.tif 000009
【図８】
2011035691.tif 000010